(57)【要約】【課題】光源から導光板への入射光量を調整することが容易な照明装置、そのような照明装置を設けた電気光学装置および電子機器を提供する。【解決手段】光源および導光板を含む照明装置、そのような照明装置を設けた電気光学装置および電子機器であって、光源および導光板の端部の間に、光源から出射された光が入射する所定空隙を備えた非接触部と、非接触部の両側に位置し、直接的または間接的に接触し、導光板に対する光源の位置を調整する位置調整部と、を設けるとともに、非接触部における所定空隙を介して、光源から出射された光を伝播させる。【選択図】図１
2009059555.tif 000002
【特許請求の範囲】
【請求項１】
光源および導光板を含む照明装置であって、
前記光源および導光板の端部の間に、前記光源から出射された光が入射する所定空隙を備えた非接触部と、
前記非接触部の両側に位置し、前記光源および前記導光板の端部が、直接的または間接的に接触し、前記導光板に対する前記光源の位置を調整する位置調整部と、
を設けるとともに、
前記非接触部における所定空隙を介して、前記光源から出射された光を伝播させることを特徴とする照明装置。
【請求項２】
前記所定空隙の奥行きを、光源の端部から、中央の発光部位に向かって、多段階または連続的に変化させることを特徴とする請求項１に記載の照明装置。
【請求項３】
前記所定空隙の奥行きを０．０２〜０．２ｍｍの範囲内の値とすることを特徴とする請求項１または２に記載の照明装置。
【請求項４】
前記導光板の所定空隙を備えた非接触部の端部が、プリズム状であることを特徴とする請求項１〜３のいずれか一項に記載の照明装置。
【請求項５】
前記導光板の端部の位置調整部には窪みが設けてあり、当該窪みと、光源の一部とを係合させることを特徴とする請求項１〜４のいずれか一項に記載の照明装置。
【請求項６】
前記光源が、複数あって、少なくとも一つの光源において、前記非接触部と、前記位置調整部と、が設けてあることを特徴とする請求項１〜５のいずれか一項に記載の照明装置。
【請求項７】
照明装置と、電気光学パネルと、を含む電気光学装置であって、
前記照明装置における光源および導光板の端部の間に、前記光源から出射された光が入射する所定空隙を備えた非接触部と、
前記非接触部の両側に位置し、前記光源および前記導光板の端部が、直接的または間接的に接触し、前記導光板に対する前記光源の位置を調整する位置調整部と、
を設けることを特徴とする電気光学装置。
【請求項８】
請求項７に記載された電気光学装置を備えた電子機器。
【発明の詳細な説明】
【技術分野】
【０００１】
本発明は、照明装置、電気光学装置、および電子機器に関する。特に、光源からの入射光量を調整することが容易な照明装置、そのような照明装置を設けた電気光学装置、およびそのような電気光学装置を備えた電子機器に関する。
【背景技術】
【０００２】
液晶表示装置等に用いられる照明装置（発光装置）として、均一性に優れ、高輝度発光可能な発光装置の構成が知られている。
より具体的には、図１２（ａ）に示すように、照明装置３００は、少なくとも対向する第１の主面及び第２の主面を有する導光体３１１と、導光体の第２の主面に設けられた反射体３１２と、導光体３１１の一端面３１１ａに対向配置された光源３１４とを備えている（例えば、特許文献１参照）。
そして、光源３１４からの光を導光体３１１の第１の主面から出射させるに際して、導光体３１１は、光源３１４の発光部の出射面と対向する一端面３１１ａに、互いに異なる形状の複数の切り欠き（特殊プリズム）３１５を有している。
それと共に、複数の切り欠き３１５は、それぞれ光源３１４の発光部の出射面と対向する面の中央から遠ざかるにしたがって、導光体３１１の一端面とのなす角度が大きくなる第１の面３１５ａと、発光部の出射面と対向する面の中央から遠ざかるにしたがって、導光体の一端面とのなす角度が小さくなる第２の面３１５ｂとを有している。
【特許文献１】特開２００２−４２５３４号公報  （特許請求の範囲）
【発明の開示】
【発明が解決しようとする課題】
【０００３】
しかしながら、特許文献１に記載された照明装置（発光装置）３００は、図１２（ｂ）に模式的に示すように、複雑な構成の切り欠き（特殊プリズム）３１５によって、光源３１４から伝播してくる光（Ｌ）の発光輝度を高めることのみを目的としており、逆に、発光輝度を低下させ、全体として、均一性に優れた照明装置を提供することが困難であるという問題が見られた。
また、導光体の端部に、複雑な構成の切り欠き（特殊プリズム）を複数設ける必要があって、構成が複雑になったり、製造コストが高くなったりするばかりか、光源と位置合わせする際に、圧接によって、特殊プリズムや光源を損傷しやすいという問題が見られた。
さらに、光源の発光特性がばらつくような複数の光源を用いた場合、照明装置全体として、さらに発光輝度のばらつき大きくなり、そのため、発光特性が等しい光源を予め選別しなければならないという問題が見られた。
【０００４】
そこで、本発明の発明者は鋭意検討した結果、光源および導光板の端部の間に、所定空隙を備えた非接触部と、所定の位置調整部と、を設けるとともに、非接触部における所定空隙を介して、光源から出射された光を伝播させることにより、発光輝度が低下調整され、発光特性がばらつくような複数の光源を用いた場合であっても、全体として、均一性に優れた照明装置が得られることを見出し、本発明を完成した。
すなわち、本発明は、簡易な構造設計によって、光源からの入射光量を所望範囲に調整することが容易な照明装置、そのような照明装置を設けた電気光学装置、およびそのような電気光学装置を備えた電子機器をそれぞれ提供することを目的とする。
【課題を解決するための手段】
【０００５】
本発明によれば、光源および導光板を含む照明装置であって、光源および導光板の端部の間に、光源から出射された光が入射する所定空隙を備えた非接触部と、非接触部の両側に位置し、光源および導光板の端部が、直接的または間接的に接触し、導光板に対する光源の位置を調整する位置調整部と、を設けるとともに、非接触部における所定空隙を介して、光源から出射された光を伝播させることを特徴とする照明装置が提供され、上述した問題点を解決することができる。
すなわち、所定空隙を備えた非接触部を介して、導光板に光を入射させることにより、光源からの入射光量を容易に調整することができる。
また、非接触部の両側に、導光板に対する光源の位置を調整するための所定の位置調整部を設けることから、所定空隙の奥行きの調整が容易になるばかりか、所定空隙についても精度良く所望位置に配置できることから、光源からの入射光量を精度良く調整することができる。
その結果、照明装置における発光輝度が低下調整され、光源が一つの場合はもちろんのこと、発光特性がばらつくような複数の光源を用いた場合であっても、全体として、発光の均一性に優れた照明装置を得ることができる。
【０００６】
また、本発明の照明装置を構成するにあたり、所定空隙の奥行きを、光源の端部から、中央の発光部位に向かって、多段階または連続的に変化させることが好ましい。
このように構成することにより、光源の幅方向（横方向）に沿って、すなわち、光が出射される方向に対して垂直の方向に沿って、発光輝度を容易に調整し、均一化することができる。
【０００７】
また、本発明の照明装置を構成するにあたり、所定空隙の奥行きを０．０２〜０．２ｍｍの範囲内の値とすることが好ましい。
このように構成することにより、照明装置における発光輝度が、所定範囲内の値になるように、容易に調整することができる。
【０００８】
また、本発明の照明装置を構成するにあたり、所定空隙を備えた非接触部の端部が、プリズム状であることが好ましい。
このように構成することにより、光源から入射された光の光量をさらに指向性をもって調整し、発光輝度を均一化することができる。
なお、導光板の端部をプリズム状に構成するに際して、導光板の端部に、プリズムを直接的に形成しても良く、あるいは、導光板とは別体として、プリズムを間接的に配置しても良い。
【０００９】
また、本発明の照明装置を構成するにあたり、導光板の端部の位置調整部には窪みが設けてあり、当該窪みと、光源の一部とを係合させることが好ましい。
このように構成することにより、光源の配置が容易になるとともに、照明装置の小型化に資するばかりか、導光板以外の箇所への光漏れを少なくすることができ、発光輝度をさらに均一化することができる。
【００１０】
また、本発明の照明装置を構成するにあたり、光源が、複数あって、少なくとも一つの光源において、非接触部と、位置調整部と、が設けてあることが好ましい。
このように構成することにより、任意箇所の光源においては、光源からの入射光量を精度良く調整することができ、残りの箇所の光源においては、高い発光輝度をそのまま保持することができる。
したがって、複数の光源の発光特性がばらつくような場合であっても、複数の光源のさらなる有効利用が図られるとともに、照明装置の全体として、発光輝度をさらに均一化することができる。
【００１１】
また、本発明の別の態様は、照明装置と、電気光学パネルと、を含む電気光学装置であって、照明装置における光源および導光板の端部の間に、光源から出射された光が入射する所定空隙を備えた非接触部と、非接触部の両側に位置し、光源および導光板の端部が、直接的または間接的に接触し、導光板に対する光源の位置を調整する位置調整部と、を設けるとともに、非接触部における所定空隙を介して、光源から出射された光を伝播させることを特徴とする電気光学装置である。
すなわち、所定空隙を備えた非接触部を介して、導光板に光を入射させることにより、光源から導光板への入射光量を容易に調整することができる。また、非接触部の両側に、所定の位置調整部を設けることから、所定空隙の奥行きの調整が容易になるばかりか、所定空隙の位置についても精度良く調整できることから、光源からの入射光量をさらに精度良く調整することができる。
その結果、照明装置における発光輝度が低下調整され、光源が一つの場合はもちろんのこと、発光特性がばらつくような複数の光源を用いた場合であっても、全体として、電気光学パネルに伝播される光量を適宜調整し、均一な発光特性を有する電気光学装置を提供することができる。
【００１２】
また、本発明のさらに別の態様は、照明装置と、電気光学パネルと、を含む電気光学装置であって、照明装置における光源および導光板の端部の間に、光源から出射された光が入射する所定空隙を備えた非接触部と、非接触部の両側に位置し、光源および導光板の端部が、直接的または間接的に接触し、導光板に対する光源の位置を調整する位置調整部と、を設けるとともに、非接触部における所定空隙を介して、光源から出射された光を伝播させることを特徴とする電気光学装置を備えた電子機器である。
すなわち、所定空隙を備えた非接触部を介して、導光板に光を入射させることにより、光源からの入射光量を容易に調整することができ、また、非接触部の両側において、所定の位置調整部を設けることから、所定空隙の奥行きの調整が容易になるばかりか、所定空隙の位置についても精度良く調整できることから、光源からの入射光量を精度良く調整することができる。
その結果、照明装置における発光輝度が低下調整され、光源が一つの場合はもちろんのこと、発光特性がばらつくような複数の光源を用いた場合であっても、全体として、電気光学パネルに伝播される光量を適宜調整し、均一な発光特性を有する電子機器を提供することができる。
【発明を実施するための最良の形態】
【００１３】
［第１実施形態］
第１実施形態は、図１に例示するように、光源１０１および導光板１０４を含む照明装置１００であって、
光源１０１および導光板１０４の端部１０４ａの間に、光源１０１から出射された光が入射する所定空隙１０２を備えた非接触部１０２ａと、
非接触部１０２ａの両側に位置し、光源１０１および導光板１０４の端部が、直接的または間接的に接触し、導光板１０４に対する光源１０１の位置を調整する位置調整部１０３と、
を設けるとともに、
非接触部１０２ａにおける所定空隙１０２を介して、光源１０１から出射された光（Ｌ）を伝播させることを特徴とする照明装置１００である。
よって、光源１０１の近傍に、所定の非接触部１０２ａおよび位置調整部１０３を設けることにより、簡易構造であっても、光源１０１から、導光板１０４への入射光量（伝播光量）を精度良く調整することができる。
その結果、光源が一つの場合はもちろんのこと、図２に示すように、発光特性がばらつくような複数の光源を用いた場合であっても、空気中の伝播距離を調節することにより、光源全体として、電気光学パネルに伝播される光量を適宜調整し、均一な発光特性を有する電子機器を提供することができる。
【００１４】
なお、図２中、記号Ａで表される特性曲線は、発光輝度が比較的高い上に、空気中の伝播による発光輝度の低下が比較的少ないタイプの光源に対応したものである。
また、記号Ｂで表される特性曲線は、発光輝度が比較的低い上に、空気中の伝播による発光輝度の低下が若干大きいタイプの光源に対応したものである。
さらに、記号Ｃで表される特性曲線は、発光輝度がさらに低い上に、空気中の伝播による発光輝度の低下がさらに大きいタイプの光源に対応したものである。
【００１５】
１．光源
（１）種類
図１に示す光源１０１の種類については特に制限されるものではないが、例えば、蛍光管、蛍光表示管、発光ダイオード（ＬＥＤ、Light Emission Diode）、有機ルミネッセンス素子等から構成してあることが好ましいが、特に、発光ダイオードを使用することが好ましい。
この理由は、かかる発光ダイオードを使用することにより、光源の消費電力を有効に低下させることができるとともに、高周波電源を必要としないために、高周波ノイズの発生による誤動作を有効に防止することができるためである。
また、このような発光ダイオードであれば、小型化が容易であるばかりか、回路基板上への実装が容易であって、ひいては、回路基板を利用して、導光板との間の位置合わせも容易になるためである。
【００１６】
（２）実装方法
また、光源は、回路基板、例えば、フレキシブル配線基板や、プリント配線基板上の配線パターンに対して、予め実装（装着）してあることが好ましい。
この理由は、光源の位置を直接的に調整することなく、光源を搭載したフレキシブル配線基板や、プリント配線基板の位置を適宜調整することにより、導光板の端面と、光源とを、近接配置することができるためである。
但し、光源の実装が容易になるばかりか、適度に変形し、導光板の端面と、光源とを、さらに近接配置することができることから、フレキシブル配線基板を使用することがより好ましい。
なお、光源の回路基板に対する実装方法は特に制限されるものではないが、例えば、光源が発光ダイオードであれば、導電性接着剤、半田ペースト等を適宜使用することができる。
【００１７】
２．導光板
また、図１に示す導光板１０４の態様については、特に制限されるものではないが、例えば、アクリル樹脂、ポリカーボネート樹脂、ポリエステル樹脂、ポリスルホン樹脂等の透明性に優れた樹脂から構成された平面状物であって、かつ、その表面や端部に反射部を備えた構成であることが好ましい。
【００１８】
また、図３に示すように、非接触部１０２ａを形成する所定空隙１０２において、それから光が入射される導光板１０４の端部に、プリズム１０４ｂを、直接的または間接的に設けてあることが好ましい。
この理由は、このように導光板の端部をプリズム状とすることにより、所定空隙を備えた非接触部の端部を、プリズム状とすることができるためである。したがって、光源から入射された光の光量をさらに指向性をもって調整し、発光輝度を均一化することができる。
なお、プリズム状である導光板の端部の態様としては、所定の光指向性が得られるものであれば特に制限されることなく、ピラミッド形状、三角錐形状、円錐形状、のこぎり形状、不規則形状等であっても良い。
【００１９】
その他、図３に示すように、所定空隙１０２における導光体１０４の端部にプリズム１０４ｂを設けた場合であっても、当該プリズム１０４ｂは、所定空隙１０２を介して、光源１０１と相対し、プリズム１０４ｂと、光源１０１とが、直接接触しないことになる。すなわち、従来、光源１０１と、導光体１０４の端部１０４ａとを位置合わせする際に、プリズム１０４ｂや光源１０１の接触面をそれぞれ損傷しやすいという問題があったが、それについても回避することができる。
【００２０】
３．非接触部
また、図１に示すように、光源１０１と、導光板１０４の端部１０４ａとの間に、光源１０１から出射された光が入射する非接触部１０２ａ、例えば、台形の平面形状を有する所定空隙１０２を備えることを特徴とする。
すなわち、光源および導光板、あるいはいずれか一方に、所定空隙を備えた非接触部を設けることにより、入射された光は、所定空隙における空気中を伝播することになる。したがって、導光板にすぐに入射されて伝播する場合と比較して、光量が低下し、導光板に入力する光量が調整される。
したがって、光源が一つの場合はもちろんのこと、発光特性がばらつくような複数の光源を用いた場合であっても、全体として、導光板へ伝播される光量が適宜調整され、均一な発光特性を有する照明装置を提供することができる。
なお、図１において、記号ｔ４で表される幅に該当する箇所が、所定空隙１０２を備えた非接触部１０２ａであって、その両側の記号ｔ２、ｔ３でそれぞれ表される幅に該当する箇所が、後述する位置調整部１０３である。
【００２１】
また、図１に示すように、非接触部１０２ａにおける所定空隙１０２の奥行き（ｔ１）については、例えば、照明装置の用途等を考慮して定めることが好ましいが、通常、０．０２〜０．２ｍｍの範囲内の値とすることが好ましい。
この理由は、かかる所定空隙の奥行きと、所定空隙における空気層を光が伝播する際の光量低下との間で、所定の関係が存在していることが判明しているためである。
すなわち、かかる所定空隙の奥行きが、０．０２ｍｍ未満の値になると、奥行きの値の調整が困難になったり、ひいては、導光板に入射される光量を安定的に調整（低下）したりすることが困難となる場合があるためである。具体的には、光源の端面、あるいは導光板の端面には、通常、０．０１ｍｍ程度の凹凸に起因したばらつきがあって、所定空隙の奥行きを０．０２ｍｍ未満の値に制御することが困難となる場合があるためである。
一方、かかる所定空隙の奥行きが、０．２ｍｍを超えると、導光板に入射される光量が過度に低下する場合があるためである。
したがって、所定空隙の奥行き（ｔ１）を０．０３〜０．１８ｍｍの範囲内の値とすることがより好ましく、０．０５〜０．１５ｍｍの範囲内の値とすることがさらに好ましい。
【００２２】
また、図４（ａ）に示すように、非接触部１０２ａにおける所定空隙１０２の奥行きを、光源１０１における発光部位１０１ａの端部１０１ｃから、中央の発光部位１０１ｂに向かって、多段階に変化させることが好ましい。
例えば、図４（ａ）に示すように、第１段階の奥行き（ｔ１）を０．０５〜０．１５ｍｍとし、第２段階の奥行き（ｔ５）を０．０３〜０．１０ｍｍとし、第３段階の奥行き（ｔ６）を０．０３〜０．０８ｍｍとなるように、変化させることが好ましい。
この理由は、このように構成することにより、光源の幅方向に沿って、すなわち、光が出射される方向に対して垂直方向に沿って、発光輝度をさらに均一化することができるためである。
すなわち、例えば、最も発光量の多い中央の発光部位に対応して、光量を比較的多く低下させ、発光量が比較的少ない光源の端部からの光に対しては、光量の低下を比較的少なくすることにより、導光板に入射する光量をさらに均一化することができるためである。
【００２３】
なお、図４（ｂ）に示すように、非接触部１０２ａにおける所定空隙１０２の奥行きを、光源１０１における発光部位１０１ａの端部１０１ｃから、中央の発光部位１０１ｂに向かって、円弧状または楕円弧状に、奥行きの幅を連続的に変化させることも好ましい。
例えば、図４（ｂ）に示すように、第１段階の奥行き（ｔ１）を０．０５〜０．１５ｍｍとし、第２段階の奥行き（ｔ７）が０．０３〜０．１０ｍｍとなるように、連続的に変化させることが好ましい。
この理由は、導光板に入射する光量をさらに均一化することができるとともに、所定空隙の形成自体についても容易になるためである。
【００２４】
また、図５（ａ）〜（ｂ）に示すように、非接触部１０２ａにおける所定空隙１０２に関して、導光板１０４の端部の位置調整部１０３には、窪み１０４ｅ、１０４ｆがそれぞれ設けてあり、これら窪み１０４ｅ、１０４ｆと、光源１０１の一部とを係合させた状態で、所定空隙１０２を形成することが好ましい。
この理由は、このように構成することにより、光源の配置が容易になるとともに、照明装置の小型化に資するばかりか、導光板以外の箇所への光漏れを少なくすることができ、発光輝度をさらに均一化することができるためである。
【００２５】
なお、図５（ａ）に示すように、導光板１０４の端部に窪み１０４ｅが比較的浅く設けてあり、光源１０１の一部が係合するような状態（係合距離：ｔ８ｍｍ）で、所定空隙１０２を形成することにより、光源１０１の側面側も、導光板１０４に対しても、強固に圧接することができる。
したがって、光源１０１を正確に位置合わせができるばかりか、光源１０１が一部露出しているため、それを利用して、容易かつ迅速に交換することもできる。
【００２６】
また、図５（ｂ）に示すように、導光板１０４の端部に窪みが比較的深く設けてあり、光源１０１の全部が係合するような状態（係合距離：ｔ９ｍｍ）で、所定空隙１０２を形成することにより、光源１０１の側面全部に対して、圧接されることになる。
したがって、光源１０１の位置合わせをさらに正確にすることができ、ひいては、熱膨張等によって、位置ずれが生じるおそれもさらに少なくなる。
【００２７】
また、図６に示すように、光源１０１´、１０１´´が、複数個設けてあって、少なくとも一つの光源１０１´´において、非接触部１０２ａと、位置調整部１０３と、がそれぞれ設けてあり、かつ、非接触部１０２ａにおいて所定空隙１０２が設けてあることが好ましい。
すなわち、図６に示すように、非接触部１０２ａを有しない光源１０１´と、非接触部１０２ａを有する光源１０１´´とを、混在させることも好ましい。
この理由は、このように構成することにより、任意箇所の光源においては、光源からの入射光量を精度良く調整することができ、残りの箇所の光源においては、高い発光輝度をそのまま保持することができるためである。
したがって、光源が一つの場合はもちろんのこと、図２に示すような発光特性がばらつく複数の光源、例えば、記号Ａ〜Ｃで表される特性曲線に対応した３つの光源を用いた場合であっても、位置調整部の設置と相俟って、所定空隙における奥行き（ｔ１）の値、すなわち、空気中の伝播距離をそれぞれ調整することによって、全体として、均一性に優れた照明装置を得ることができる。
【００２８】
４．位置調整部
また、図１に示すように、非接触部１０２ａ（所定空隙１０２）の両側において、導光板１０４に対する光源１０１の位置を調整するための位置調整部１０３を設けることを特徴とする。
すなわち、非接触部１０２ａ（所定空隙１０２）の両側に、二つの位置調整部１０３を設けることにより、非接触部１０２ａの所定空隙１０２における奥行きの調整が容易かつ正確になり、それに起因して、非接触部１０２ａにおける光源１０１から導光板１０４への入射光量を精度良く調整することができる。
また、非接触部の両側に設けた、かかる位置調整部１０３を利用して、導光板１０４に対する光源１０１の位置についても、所望位置に、容易かつ正確に定めることができる。
【００２９】
ここで、図７（ａ）に示すように、位置調整部１０３において、緩衝材や接着剤層、あるいは反射部材の少なくとも一つ１０４ｃを設けることも好ましい。
例えば、緩衝材として、スポンジ部材、クッション材、ゴム部材等を設けることにより、導光板に対する光源を密着して配置することができる。
また、かかる緩衝材の厚さを制御することにより、発光特性がばらつくような複数の光源に対して、非接触部における所定空隙の奥行きの調整をきめ細かく実施することが可能となる。
【００３０】
また、位置調整部に接着剤層を設けることにより、導光板に対する光源を密着して固定配置することができる。
そして、発光特性がばらつくような複数の光源に対して、かかる接着剤層の厚さを制御することにより、非接触部における所定空隙の奥行きの調整をきめ細かく実施することが可能となる。
さらに、反射部材を設けることにより、位置調整部に入手してきた光を効果的に、非接触部における所定空隙に対して、戻すことができる。したがって、非接触部における所定空隙での過度の光量の低下を防止することができる。
【００３１】
また、図７（ｂ）に示すように、位置調整部１０３において、光源１０１または導光板１０４のいずれかに突起部１０４ｄを設けるとともに、反対部材には、それと適合する凹部１０４ｄ´を設けることが好ましい。
この理由は、このように構成することにより、導光板１０４に対する光源１０１の位置合わせをさらに正確に実施することができるためである。
【００３２】
５．フレーム
また、照明装置における機械的強度を高めたり、取り扱い性を高めたりするために、光源や導光板の周囲に、フレーム（外枠）を備えることが好ましい。
すなわち、照明装置は、光源や導光板を収容するためのフレームであって、セラミック、金属、プラスチック等からなるフレームを備えることが好ましい。
より具体的には、後述する第２実施形態の電気光学装置（液晶装置）を例示する図８において、照明装置１００の周囲に存在する外枠１４の一部が、ここでいうフレームに相当する。
【００３３】
［第２実施形態］
第２実施形態は、図８に例示するように、照明装置１００と、電気光学パネル２０と、を含む電気光学装置１０であって、照明装置１００における光源１０１および導光板１０４の端部の間に、光源１０１から出射された光が入射する所定空隙１０２を備えた非接触部と、非接触部の両側に位置し、光源１０１および導光板１０４の端部が、直接的または間接的に接触し、導光板１０４に対する光源１０１の位置を調整する位置調整部１０３と、を設けるとともに、非接触部における所定空隙１０２を介して、光源１０１から出射された光を伝播させることを特徴とする電気光学装置１０である。
すなわち、照明装置１００における光源１０１は、フレキシブル回路基板１７に実装されており、駆動用半導体素子９１によって、その動作が制御されつつ、当該光源１０１から出射された光は、所定空隙１０２を介して、導光板１０４に伝播され、それを利用して、液晶パネル２０において所定の画像表示が行われる液晶装置１０の構成となっている。
以下、本発明の第２実施形態の電気光学装置として、液晶パネルを含む液晶装置を例に採って説明する。
【００３４】
１．基本構成
（１）電気光学パネル
まず、図９（ａ）〜（ｂ）および図９を参照しながら、電気光学パネル（液晶パネル）２０を含む液晶装置１０の構成について、具体的に説明する。
ここで、図９（ａ）は、液晶装置１０の断面図を示し、図９（ｂ）は、図９（ａ）の液晶装置における素子基板６０の平面図を示しており、図１０は、液晶装置１０の外観に対応した斜視図を示している。
そして、かかる液晶装置１０における液晶パネル（電気光学パネル）は、対向基板３０と、素子基板６０とが、それらの周辺部においてシール材（図示せず）によって貼り合せられ、さらに、対向基板３０、素子基板６０及びシール材によって囲まれる間隙内に液晶材料２１を封入して、基本的に構成されている。
【００３５】
また、対向基板３０の基材３１は、ガラス、プラスチック等によって構成され、基材３１上には、カラーフィルタすなわち着色層３７ｒ、３７ｇ、３７ｂと、その着色層３７ｒ、３７ｇ、３７ｂの上に形成された対向電極３３と、その対向電極３３の上に形成された配向膜４５とを備えている。また、反射領域Ｒにおける、着色層３７ｒ、３７ｇ、３７ｂと対向電極３３との間には、リタデーションを最適化するための絶縁層４１を備えている。
【００３６】
また、対向電極３３は、ＩＴＯ（インジウムスズ酸化物）等によって対向基板３０の表面全域に形成された面状電極である。また、着色層３７ｒ、３７ｇ、３７ｂは、素子基板６０側の画素電極６３に対向する位置にＲ（赤）、Ｇ（緑）、Ｂ（青）又はＣ（シアン）、Ｍ（マゼンタ）、Ｙ（イエロー）等といった各色のいずれかの色フィルタエレメントを備えている。そして、着色層３７ｒ、３７ｇ、３７ｂの隣であって、画素電極６３に対向しない位置にブラックマスク又はブラックマトリクスすなわち遮光膜３９が設けられている。
【００３７】
また、対向基板３０に対向する素子基板６０の基材６１もまた、ガラス、プラスチック等によって構成され、当該素子基板６０の基材６１上には、スイッチング素子として機能するアクティブ素子としてのＴＦＴ素子６９と、透明な絶縁膜８１を挟んでＴＦＴ素子６９の上層に形成された画素電極６３と、を備えている。
そして、ＴＦＴ素子６９は、素子基板６０上に形成されたゲート電極７１と、このゲート電極７１の上で素子基板６０の全域に形成されたゲート絶縁膜７２と、このゲート絶縁膜７２を挟んでゲート電極７１の上方位置に形成された半導体層７０と、その半導体層７０の一方の側にコンタクト電極７７を介して形成されたソース電極７３と、さらに半導体層７０の他方の側にコンタクト電極７７を介して形成されたドレイン電極６６とを備えている。
【００３８】
また、画素電極６３は、反射領域Ｒにおいては反射表示を行うための光反射膜７９（６３ａ）を兼ねて形成されるとともに、透過領域Ｔにおいては、ＩＴＯなどにより透明電極６３ｂとして形成される。
また、画素電極６３ａとしての光反射膜７９は、例えばＡｌ（アルミニウム）、Ａｇ（銀）等といった光反射性材料によって形成される。そして、画素電極６３の上には、ポリイミド系の高分子樹脂からなる配向膜８５が形成されるとともに、この配向膜８５に対して、配向処理としてのラビング処理が施されている。
【００３９】
また、対向基板３０の外側、すなわち、図９（ａ）の上側表面には、位相差板４７が形成され、さらにその上に偏光板４９が形成されている。同様に、素子基板６０の外側、すなわち、図９（ａ）の下側表面には、位相差板８７が形成され、さらにその下に偏光板８９が形成されている。
すなわち、電気光学パネルとしての液晶装置１０は、このように反射半透過方式のアクティブマトリクス型構造であるＴＦＴ（Thin Film Transistor）素子を用いた液晶パネルであっても良く、あるいは、用途等に応じて、ＴＦＤ（Thin Film Diode）素子を用いた液晶パネルであっても良く、さらには、パッシブマトリクス型構造であっても良い。
【００４０】
（２）照明装置
図示しないものの、素子基板６０の下方には、第１実施形態において説明した照明装置が配置される。
すなわち、光源および導光板の端部の間に、光源から出射された光が入射する所定空隙を備えた非接触部と、非接触部の両側に位置し、光源および導光板の端部が、直接的または間接的に接触し、導光板に対する光源の位置を調整するための位置調整部と、を設けるとともに、非接触部における所定空隙を介して、光源から出射された光を伝播させる構成の照明装置が配置される。
【００４１】
２．動作
以上のような基本構成を有する液晶装置１０において、反射表示の際には、太陽光や室内照明光などの外光が、対向基板３０側から液晶装置１０の反射領域（Ｒ）に入射するとともに、着色層３７（３７ｒ、３７ｇ、３７ｂ）や液晶材料２１などを通過して光反射膜７９に至る。そこで、光反射されて、再度液晶材料２１や着色層３７（３７ｒ、３７ｇ、３７ｂ）などを通過して、液晶装置１０の外部で認識されることにより、反射表示が行われる。
【００４２】
一方、透過表示の際にはバックライトユニット（図示せず）が点灯されるとともに、バックライトユニットから出射された光が、透過領域（Ｔ）としての透光性の透明電極６３ｂ部分を通過し、着色層３７（３７ｒ、３７ｇ、３７ｂ）、液晶材料２１などを通過して、液晶装置１０の外部で認識されることにより、透過表示が行われる。
【００４３】
［第３実施形態］
本発明に係る第３実施形態として、所定の電気光学装置を備えた電子機器を、具体的に説明する。
【００４４】
（１）電子機器の概要
図１１は、本実施形態の電子機器の全体構成を示す概略構成図である。この電子機器は、液晶パネル２０と、これを制御するための制御手段２００とを有している。また、図１１中では、液晶パネル２０を、パネル構造体２０Ａと、半導体素子（ＩＣ）等で構成される駆動回路２０Ｂと、に概念的に分けて描いてある。また、制御手段２００は、表示情報出力源２０１と、表示処理回路２０２と、電源回路２０３と、タイミングジェネレータ２０４とを有することが好ましい。
また、表示情報出力源２０１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示処理回路２０２に供給するように構成されていることが好ましい。
【００４５】
また、表示処理回路２０２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２０Ｂへ供給することが好ましい。また、駆動回路２０Ｂは、第１の配線パターン駆動回路、第２の配線パターン駆動回路及び検査回路を含むことが好ましい。さらに、電源回路２０３は、上述の各構成要素にそれぞれ所定の電圧を供給する機能を有している。
【００４６】
そして、本実施形態の電子機器であれば、発光輝度が低下調整された照明装置を備えており、それに含まれる光源が一つの場合はもちろんのこと、発光特性がばらつくような複数の光源を用いた場合であっても、全体として、電気光学パネルに伝播される光量を適宜調整し、均一な発光特性を有することから、発光特性が均一な携帯電話等として、好適に提供することができる。
【００４７】
（２）具体例
所定の電気光学装置としての液晶表示装置、有機エレクトロルミネッセンス装置、無機エレクトロルミネッセンス装置等や、プラズマディスプレイ装置、ＦＥＤ(フィールドエミッションディスプレイ)装置、ＬＥＤ（発光ダイオード）表示装置、電気泳動表示装置、薄型のブラウン管、液晶シャッター、デジタルマイクロミラーデバイス(ＤＭＤ)を用いた装置等を適用することが可能な電子機器としては、パーソナルコンピュータや、携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などが挙げられる。
【００４８】
さらに、本発明の電気光学装置および電子機器は、上述の図示例にのみ限定されるものではなく、本発明の要旨を逸脱しない範囲内において種々変更を加え得ることは勿論である。
例えば、単純マトリクス型構造のアクティブマトリクス方式の電気光学装置であっても良く、あるいは、ＴＦＤ（薄膜ダイオード）等のアクティブ素子（能動素子）を用いたアクティブマトリクス方式の電気光学装置にも適用することができる。
【図面の簡単な説明】
【００４９】
【図１】第１実施形態における照明装置を説明するために供する図である。
【図２】複数の光源における発光輝度のばらつき、および発光輝度に対する空気中の伝播距離の影響を説明するために供する図である。
【図３】第１実施形態における照明装置の変形例を説明するために供する図である（その１）。
【図４】（ａ）〜（ｂ）は、第１実施形態における照明装置の変形例を説明するために供する図である（その２）。
【図５】（ａ）〜（ｂ）は、第１実施形態における照明装置の変形例を説明するために供する図である（その３）。
【図６】第１実施形態における照明装置の変形例を説明するために供する図である（その４）。
【図７】（ａ）〜（ｂ）は、第１実施形態における照明装置の変形例を説明するために供する図である（その５）。
【図８】第２実施形態における電気光学装置（液晶装置）を説明するために供する図である。
【図９】（ａ）〜（ｂ）は、第２実施形態における電気光学装置（液晶装置）に用いる液晶パネルの構造を説明するために供する断面図および平面図である。
【図１０】第２実施形態における電気光学装置（液晶装置）に用いる液晶パネルの構造を説明するために供する斜視図である。
【図１１】第３実施形態における電子機器を説明するために供する図である。
【図１２】（ａ）〜（ｂ）は、従来の照明装置を説明するために供する図である。
【符号の説明】
【００５０】
１０：液晶装置（電気光学装置）、１１：外部端子、２０：液晶パネル、２３：シール材、２３ａ：注入孔、２５：封止剤、３０：対向基板、３７（３７ｒ、３７ｇ、３７ｂ）：カラーフィルタ、６０：素子基板、６０Ｔ：基板張り出し部、６３：画素電極、６５：：電気配線、６９：非線形素子（ＴＦＴ素子）、７５：電気配線、７９：光反射膜、８５：配向膜、９１：半導体素子、１００：照明装置、１０１：光源、１０１ａ：発光部位、１０１ｂ：中央の発光部位、１０１ｃ：発光部位の端部、１０２：所定空隙、１０２ａ：非接触部、１０３：位置調整部、１０４：導光板、１０４ａ：導光板の端部、１０４ｂ：プリズム、１０４ｃ：接着剤層等、１０４ｄ：突起部、１０４ｄ´：凹部、１０４ｅ：窪み（小窪み）、１０４ｆ：窪み（大窪み）
【図１】
2009059555.tif 000003
【図２】
2009059555.tif 000004
【図３】
2009059555.tif 000005
【図４】
2009059555.tif 000006
【図５】
2009059555.tif 000007
【図６】
2009059555.tif 000008
【図７】
2009059555.tif 000009
【図８】
2009059555.tif 000010
【図９】
2009059555.tif 000011
【図１０】
2009059555.tif 000012
【図１１】
2009059555.tif 000013
【図１２】
2009059555.tif 000014